【手続補正書】
【提出日】平成26年9月24日(2014.9.24)
【手続補正１】
【補正対象書類名】特許請求の範囲
【補正対象項目名】全文
【補正方法】変更
【補正の内容】
【特許請求の範囲】
【請求項１】
オクルーダーシステムであって、
内腔を有する柔軟なチュービング（２６）と、
オクルーダーであって、
本体部（５４）と、
第１の端部と第２の端部とを有し、前記第１の端部は前記本体部に取り付けられているステム（５８）と、
前記ステムの前記第２の端部に取り付けられ、前記本体部から隔てられ、前記チュービングの前記内腔内に配設され、前記内腔の前記直径より大きい直径を持つ丸い断面を有するオクルーディング部分（６２）とを備えるオクルーダーと、
アクチュエータパッド（７０）であって、
２つの突出部（７４）と、
前記２つの突出部の間に配設された作動溝（１１０）とを備えるアクチュエータパッドとを具備し、
前記アクチュエータパッドは、前記チュービングの一方の側部で前記チュービングと選択的に係合して前記オクルーディング部分と前記チュービングの反対側の側部との間に流路（９８）を開くオクルーダーシステム。
【請求項２】
前記２つの突出部は、湾曲した端部（１０２）を有する請求項１に記載のシステム。
【請求項３】
前記２つの突出部は、それぞれ前記オクルーディング部分の前記半径にほぼ等しい曲率半径を有する請求項２に記載のシステム。
【請求項４】
前記作動溝は、前記オクルーディング部分の前記直径にほぼ等しい幅を有する請求項１に記載のシステム。
【請求項５】
前記作動溝は、前記作動溝の頂部が前記作動溝の底部よりも広くなるように次第に細くなる溝である請求項１に記載のシステム。
【請求項６】
前記作動溝は、丸みのある底部を有する請求項１に記載のシステム。
【請求項７】
前記アクチュエータパッドは、前記オクルーダーに取り付けられ、前記オクルーディング部分の方へ枢動可能である請求項１に記載のシステム。
【請求項８】
前記アクチュエータパッドは、前記突出部に隣接する陥凹先端部分（７８）をさらに備え、前記アクチュエータパッドが前記チュービングと係合して流路を開くときに、前記先端部分が、前記チュービングと接触し前記チュービングを横方向に変位する請求項１に記載のシステム。
【請求項９】
前記ステムは、「Ｔ」字形断面を有する請求項１に記載のシステム。
【請求項１０】
ポンプドア（１２６）を有するポンプ（１０）をさらに備え、前記オクルーダーおよびアクチュエータパッドは、前記ポンプ内に装着され、前記ポンプドアは、前記アクチュエータパッドと係合し、前記アクチュエータパッドを前記チュービングに押し付けて前記オクルーダーの前記オクルーディング部分を通過する流路を開く請求項１に記載のシステム。
【請求項１１】
前記ドアが閉じられたときに前記ポンプドアの突出部（１４２）が第１の方向に移動し、前記突出部は、前記アクチュエータパッドと係合し、前記アクチュエータパッドを前記第１の方向に垂直な第２の方向に押し、それによって前記アクチュエータパッドを前記チュービングに押し付ける請求項１０に記載のシステム。
【請求項１２】
インラインオクルーダーであって、
ボアを有する柔軟なチュービング（２６）と、
前記ボア内に配設されたオクルーダーであって、
本体部（５４）と、
丸い断面を有し、前記チュービングの前記ボアと係合して前記チュービングに当接して封止し流れが前記チュービングを通過するのを防ぐ、オクルーディング部分（６２）と、
前記本体部を前記オクルーディング部分に接続する、「Ｔ」字形断面を有するステム（５８）とを備えるオクルーダーとを具備するインラインオクルーダー。
【請求項１３】
前記ステムは、前記ステムの側部に沿って配設された側壁（１１８）と前記側壁の中間に取り付けられ、それに垂直に、前記ステムの反対側の側部に向かって延在する中心ウェブ（１１４）とを備える請求項１２に記載のオクルーダー。
【請求項１４】
前記本体部はその長さに沿って延在する縦方向ボア（８６）と前記ステムに隣接する前記本体部の端部を通って横方向に延在する横方向開口（１２２）とを備える請求項１３に記載のオクルーダー。
【請求項１５】
前記横方向ボアは、全体的に前記中心ウェブに対して垂直に延在する請求項１４に記載のオクルーダー。
【手続補正２】
【補正対象書類名】明細書
【補正対象項目名】００４７
【補正方法】変更
【補正の内容】
【００４７】
そこで、改善された自由流れ防止オクルーダーおよびアクチュエータパッドが開示される。請求項の範囲から逸脱することなく、多くの変更を本発明に加えることができることは理解されるであろう。
以上説明したように、本発明は以下の形態を有する。
［形態１］
インラインオクルーダーであって、
ボアを有する柔軟なチュービングと、
前記ボア内に配設されたオクルーダーであって、
本体部と、
丸い断面を有し、前記チュービングの前記ボアと係合して前記チュービングに当接して封止し流れが前記チュービングを通過するのを防ぐ、オクルーダーと、
前記本体部を前記オクルーダーに接続する、「Ｔ」字形断面を有するステムとを備えるオクルーダーとを具備するインラインオクルーダー。
［形態２］
前記ステムは、前記ステムの側部に沿って配設された側壁と前記側壁の中間に取り付けられ、それに垂直に、前記ステムの反対側の側部に向かって延在する中心ウェブとを備える形態１に記載のオクルーダー。
［形態３］
前記本体部はその長さに沿って延在する縦方向ボアと前記ステムに隣接する前記本体部の端部を通って横方向に延在する横方向ボアとを備える形態２に記載のオクルーダー。
［形態４］
前記横方向ボアは、全体的に前記中心ウェブに対して垂直に延在する形態３に記載のオクルーダー。
［形態５］
前記流体は、前記オクルーダーと前記チュービングとの間を流れ、前記中心ウェブの周りに流れ、前記本体部を貫流する形態３に記載のオクルーダー。
［形態６］
前記オクルーダーに隣接して配設されたアクチュエータパッドをさらに備え、前記アクチュエータパッドは、前記チュービングの一方の側部の前記チュービングの外面を内向きに押して前記オクルーダーと前記チュービングの反対側の側部との間に流路を開く、形態２に記載のオクルーダーを備えるシステム。
［形態７］
前記アクチュエータパッドは、湾曲した端部を有する２つの突出部と前記２つの突出部の間に配設された作動溝とを備え、前記アクチュエータパッドは、前記２つの突出部の間で前記チュービングと係合し、前記チュービングおよびオクルーダーを前記作動溝の方へ押す形態６に記載のシステム。
［形態８］
前記作動溝は、前記溝の底部が前記溝の頂部よりも狭くなるように次第に細くなる溝である形態７に記載のシステム。
［形態９］
前記２つの突出部は、前記オクルーダーの前記半径にほぼ等しい曲率半径を有し、前記作動溝は、前記オクルーダーの前記直径にほぼ等しい幅を有する形態７に記載のシステム。
［形態１０］
前記アクチュエータパッドは、前記オクルーダーに接続される形態６に記載のシステム。
［形態１１］
ポンプドアを有するポンプをさらに備え、前記オクルーダーおよびアクチュエータパッドは、前記ポンプ内に装着され、前記ポンプドアは、前記アクチュエータパッドと係合し、前記アクチュエータパッドを前記チュービングに押し付けて前記オクルーダーを通過する流路を開く形態６に記載のシステム。
［形態１２］
前記ドアが閉じられたときに前記ポンプドアの突出部が第１の方向に移動し、前記突出部は、前記アクチュエータパッドと係合し、前記アクチュエータパッドを前記第１の方向に垂直な第２の方向に押し、それによって前記アクチュエータパッドを前記チュービングに押し付ける形態１１に記載のシステム。
［形態１３］
オクルーダーシステムであって、
内腔を有する柔軟なチュービングと、
オクルーダーであって、
本体部と、
第１の端部と第２の端部とを有し、前記第１の端部は前記本体部に取り付けられているステムと、
前記ステムの前記第２の端部に取り付けられ、前記本体部から隔てられ、前記チューブの前記内腔内に配設され、前記内腔の前記直径より大きい直径を持つ丸い断面を有するオクルーダーとを備えるオクルーダーと、
アクチュエータパッドであって、
２つの突出部と、
前記２つの突出部の間に配設された作動溝とを備えるアクチュエータパッドとを具備し、
前記アクチュエータパッドは、前記チュービングの一方の側部で前記チュービングと選択的に係合して前記オクルーダーと前記チュービングの反対側の側部との間に流路を形成するオクルーダーシステム。
［形態１４］
前記２つの突出部は、湾曲した端部を有する形態１３に記載のシステム。
［形態１５］
前記２つの突出部は、それぞれ前記オクルーダーの前記半径にほぼ等しい曲率半径を有する形態１４に記載のシステム。
［形態１６］
前記作動溝は、前記オクルーダーの前記直径にほぼ等しい幅を有する形態１３に記載のシステム。
［形態１７］
前記作動溝は、前記作用溝の頂部が前記作動溝の底部よりも広くなるように次第に細くなる溝である形態１３に記載のシステム。
［形態１８］
前記作動溝の頂部は、前記湾曲した端部が前記作動溝から離れる方向に湾曲するように前記湾曲した端部に遷移する形態１３に記載のシステム。
［形態１９］
前記作動溝は、丸みのある底部を有する形態１３に記載のシステム。
［形態２０］
前記アクチュエータパッドは、前記チューブと係合し、前記オクルーダーと前記チューブとの間に流路を開くように前記オクルーダーに向かって移動可能である形態１３に記載のシステム。
［形態２１］
前記アクチュエータパッドは、前記オクルーダーに取り付けられ、前記オクルーダーの方へ枢動可能である形態１３に記載のシステム。
［形態２２］
前記アクチュエータパッドは、前記突出部に隣接する陥凹先端部分をさらに備え、前記アクチュエータパッドが前記チューブと係合して流路を開くときに、前記先端部分が、前記チューブと接触し前記チューブを横方向に変位する形態１３に記載のシステム。
［形態２３］
前記作動溝は、前記底部で狭くなるように次第に細くなる形態１３に記載のシステム。
［形態２４］
前記作動溝は、５から２０度までの範囲内の角度で次第に細くなる形態２３に記載のシステム。